(57)【特許請求の範囲】
【請求項１】
取付パネルにフランジ部を有する貫通孔を設け、該貫通孔に装着する装着部を有するワイヤハーネス用グロメットであって、
前記装着部に内外二層の防水リップを周設し、該防水リップのうち内側の防水リップはその先端が、装着前においては前記フランジ部よりも外側に位置し、装着後においては前記フランジ部の内側に位置して前記貫通孔をシールするように変位可能であり、前記防水リップの外側の防水リップは前記フランジ部の周縁のパネルに当接したことを特徴とするワイヤハーネス用グロメット。
【請求項２】
前記内側の防水リップには、前記フランジ部に接して案内される際に、該防水リップの先端の位置を変位させるように前記防水リップの内周側面から外周側面へ向けて傾斜するテーパ状の装着案内部が設けられているとともに、該防水リップの外周面に防水部を周設したことを特徴とする請求項１に記載のワイヤハーネス用グロメット。
【請求項３】
取付パネルにフランジ部を有する貫通孔を設け、該貫通孔に装着する装着部を有するワイヤハーネス用グロメットであって、
前記装着部に内外二層の防水リップを周設し、該防水リップのうち内側の防水リップは、前記フランジ部の内側に向けて水平に突設されると共に、該防水リップの先端は、装着前においては前記フランジ部よりも内側に位置し、装着後においては該防水リップが内向き水平から斜め上方に前記フランジ部に当接したままの状態で変位することにより前記貫通孔をシールし、前記防水リップの外側の防水リップは前記フランジ部の周縁のパネルに当接したことを特徴とするワイヤハーネス用グロメット。
【発明の詳細な説明】
【０００１】
【発明の属する技術分野】
本発明は、取付パネルの貫通孔に一方向から押し込むだけで取付パネルに装着されるとともに、多重の防水構造を施すことができる装着部を有するワイヤハーネス用グロメットに関するものである。
【０００２】
【従来の技術】
従来、この種のものとしては特開平８ー７６８７号公報に開示されたものが知られている。
【０００３】
図４（ａ）〜（ｃ）は、この公報に開示のワイヤハーネス用グロメット１を示す。取付パネル７に形成されたフランジ部９を有する貫通孔８に装着されるワイヤハーネス用グロメット１は、グロメット主部２と取付部材３とからなっている。
【０００４】
グロメット主部２には、取付部材３の外周と当接する環状の防水スカート（内側の防水リップ）１４と、この防水スカート１４を取り巻く環状の防水リップ（外側の防水リップ）６とが一体に形成されている。
【０００５】
グロメット主部２に取付部材３を嵌着結合させた状態のワイヤハーネス用グロメット１を取付パネル７に装着した際、防水リップ６は、その先端が外側へと変位するように基部から折れ曲がり取付パネル７の表面に当接して取付パネル７とグロメット主部２との間をシールする。
【０００６】
一方、防水スカート１４は、同様にして取付パネル７にワイヤハーネス用グロメット１を装着した際、取付部材３に形成された防水突起１５とフランジ部９とに挟持されることによって貫通孔９とグロメット主部２との間をシールする。
【０００７】
また、取付部材３には環状のリブ１７が形成されており、ワイヤハーネス用グロメット１を装着した際、リブ１７が図４（ｃ）に示すように、フランジ部９と当接して取付パネル７に対するワイヤハーネス用グロメット１の抜け止めを行う。
【０００８】
【発明が解決しようとする課題】
しかしながら、上記のような構成では、ワイヤハーネス用グロメット１を取付パネル７の貫通孔８に装着する際に、外径の大きい取付部材３を小径の貫通孔８に無理やり挿入する構造のため貫通孔８に対してワイヤハーネス用グロメット１が入り難くい上に、防水スカート１４をフランジ部９の内周に対して防水突起１５によって圧接する構造のため、貫通孔８にグロメット１を装着する際、防水スカート１４がフランジ部９に対する圧接力を防水突起１５から受けながら装着される。このため、防水スカート１４が部分的なくびれや重なりが出たりしてフランジ部９に対する圧接力を一定にするのが難しく、したがって防水性に難があるという課題を有していた。
【０００９】
本発明は、前記のような従来技術の課題を解決するため、取付パネルの貫通孔に装着する際、グロメットの装着が容易で且つ取付パネルと防水リップとの当接圧が一定になり防水性の向上が図れるワイヤハーネス用グロメットを提供することにある。
【００１０】
【課題を解決するための手段】
上記の目的を達成するために、本発明は下記の構成よりなる。すなわち、本発明は、取付パネルにフランジ部を有する貫通孔を設け、該貫通孔に装着する装着部を有するワイヤハーネス用グロメットであって、
前記装着部に内外二層の防水リップを周設し、該防水リップのうち内側の防水リップはその先端が、装着前においては前記フランジ部よりも外側に位置し、装着後においては前記フランジ部の内側に位置して前記貫通孔をシールするように変位可能であり、前記防水リップの外側の防水リップは前記フランジ部の周縁のパネルに当接したことを特徴とするワイヤハーネス用グロメットである。
【００１１】
また、前記内側の防水リップには、前記フランジ部に接して案内される際に、該防水リップの先端の位置を変位させるように前記防水リップの内周側面から外周側面へ向けて傾斜するテーパ状の装着案内部が設けられているとともに、該防水リップの外周面に防水部を周設したことを特徴とするワイヤハーネス用グロメットである。
【００１２】
【発明の実施の形態】
以下、本発明の実施の形態を図１及び図２に基づいて説明する。
【００１３】
図１において、２１はワイヤハーネス用グロメットを示し、このグロメット２１は、図２に示すように取付パネル２８に形成されたフランジ部３０を有する貫通孔２９に装着される。
【００１４】
また、グロメット２１は、プロテクタ２６と弾性質のグロメット本体２２とからなり、グロメット本体２２の装着部２３内には、プロテクタ２６が装着されると共に、装着部２３に外側の防水リップ２４と内側の防水リップ２５が何れも取付パネル２８に向けて突設されている。
【００１５】
内側の防水リップ２５において、２５ａは先端、２５ａ1 はこの先端２５ａに設けた装着案内部である。また、２５ｂは外周面で、２５ｂ1 はこの外周面２５ｂに設けられた防水部でほぼ断面三角状としている。
プロテクタ２６は２個の硬質の半環状片４５、４５が図１（ｃ）に示すように、係合爪４１、４２によって環状に結合されてなり、グロメット本体２２の装着部２３内に嵌着保持される。そして、このプロテクタ２６には、ほぼ断面Ｕ字形を呈し且つ可撓性を有する係止爪２７が一体に形成されている。なお４０は、係止爪２７を形成するための抜き穴である。
【００１６】
以上のように構成されたワイヤハーネス用グロメット２１を取付パネル２８に装着するには、グロメット本体２２の装着部２３内にプロテクタ２６を嵌着保持させる。この状態で図示を省略するワイヤハーネスを貫通させた後、このグロメット２１を取付パネル２８の貫通孔２９に向けて図２（ａ）において上方から下方向に押し込んで行く。
【００１７】
また、プロテクタ２６の端部に設けた係止爪２７は、フランジ部３０に当接し押し込まれるにつれてフランジ部３０の内側３０ｂ形状に沿って曲がりながら貫入される。そして、貫通孔２９を通過する位置まで押し込まれた時、係止爪２７は元の形状に戻り取付パネル２８の裏面３２を支えるように先端部２７ａが図２（ｂ）に示すように当接して停止する。
【００１８】
この時、防水リップ２４，２５側においては、まず外側の防水リップ２４はその先端２４ａが取付パネル２８の周縁部３１に接し、グロメット２１が押し込まれるにつれて外側方向に滑り広がった状態で周縁部３１に当接する。
【００１９】
一方、同時に、内側の防水リップ２５は、グロメット２１が押し込まれるにつれて、その先端２５ａはフランジ部３０に接してプロテクタ２６に向けて変位する。この場合、プロテクタ２６に対して間隙があるため先端２５ａは変位可能であり、しかもテーパ状の装着案内部２５ａ1 を備えているのでフランジ部３０の内側３０ｂに向けて滑り込み防水部２５ｂ1 は内側３０ｂに当接する。
【００２０】
このように、取付パネル２８の貫通孔２９へのワイヤハーネス用グロメット２１の装着は、単にグロメット２１を押し込むだけで装着でき、装着作業性が向上する。また、この内側の防水リップ２５は押し込まれる途中においてプロテクタ２６に対して変位可能であるので、防水部２５ｂ1 のみでフランジ部３０の内側３０ｂに当接することになる。したがって当接圧が均等で防水性の高い内外二層の防水構造としているのが特徴である。
【００２１】
尚、ここで、グロメット本体２２を弾性質としているが、一例として、耐熱性等を考慮してグロメット本体２２の材質はＥＰＤＭを射出成形により成形したものを使用している。また、プロテクタ２６を硬質としているが、一例として、プロテクタ２６の材質はＰＰ樹脂を射出成形して使用している。
【００２２】
【変形例１】
図３は装着部２３の変形例を示すものである。図１及び図２と同一部分については同一符号を付して説明を省略する。
【００２３】
この変形例では、図中グロメット２１装着前において外側の防水リップ４４は、取付パネル２８の周縁部３１にやや外側に向けて広がる凸形状に設けられており、内側の防水リップ４５は、ほぼ水平でその先端４５ａがフランジ部３０より内側に位置するように設けている（図３二点鎖線参照）。
【００２４】
そして、このグロメット２１の装着においては、グロメット２１を貫通孔２９に押し込むにつれて、外側の防水リップ４４は、周縁のパネル３１に沿ってｙ矢印方向に滑りながら先端４４ａが当接する。また同時に、内側の防水リップ４５はフランジ部３０に当接したままの状態でｘ矢印方向に変形させられて防水面を形成する。
【００２５】
このようにグロメットを貫通孔２９に一方向側から押し込むだけで、防水リップ４４，４５と貫通孔２９に変形し挿入され取付パネル２８を裏面３２から支える係止爪２７との間で挟持してワイヤハーネス用グロメット２１の装着がなされている。
【００２６】
その他の構成及び作用は本発明の実施の形態と同様であるので、その説明を省略する。
【００２７】
【発明の効果】
以上説明してきたように、請求項１の発明によれば、前記装着部に内外二層の防水リップを周設し、該防水リップのうち内側の防水リップはその先端が、装着前においては前記フランジ部よりも外側に位置し、装着後においては前記フランジ部の内側に位置して前記貫通孔をシールするように変位可能であり、前記防水リップの外側の防水リップは前記フランジ部の周縁のパネルに当接したことを特徴としているので、
取付パネルの貫通孔にワイヤハーネス用グロメットを押し込むと、外側の防水リップは貫通孔の周縁部上を滑り当接する。また、内側の防水リップはフランジ部の内側からフランジ部に沿ってほぼ三角状の防水部のみがフランジ部を滑動して装着でき防水面を形成する。したがって、押し込むだけで内外二層の防水構造が得られる。
【００２８】
請求項２の発明によれば、前記内側の防水リップには、前記フランジ部に接して案内される際に、該防水リップの先端の位置を変位させるように前記防水リップの内周側面から外周側面へ向けて傾斜するテーパ状の装着案内部が設けられているとともに、該防水リップの外周面に防水部を周設したことを特徴としているので、
グロメットを貫通孔に装着する際に、フランジ部に内側の防水リップが当接しても先端の装着案内部により滑り込み容易にグロメットは装着できる。
【００２９】
また、防水部のみが一方向にフランジ部を滑動するので均等圧でフランジ部に当接できる。したがって、防水性が安定する。
【００３０】
請求項３の発明によれば、取付パネルにフランジ部を有する貫通孔を設け、該貫通孔に装着する装着部を有するワイヤハーネス用グロメットであって、前記装着部に内外二層の防水リップを周設し、該防水リップのうち内側の防水リップは、前記フランジ部の内側に向けて水平に突設されると共に、該防水リップの先端は、装着前においては前記フランジ部よりも内側に位置し、装着後においては該防水リップが内向き水平から斜め上方に前記フランジ部に当接したままの状態で変位することにより前記貫通孔をシールし、前記防水リップの外側の防水リップは前記フランジ部の周縁のパネルに当接したことを特徴としているので、
取付パネルの貫通孔にワイヤハーネス用グロメットを押し込むと、外側の防水リップは貫通孔の周縁部上を滑り当接する。また同時に、内側の防水リップはフランジ部に当接したままの状態で変形させられて防水面を形成する。したがって、グロメットを押し込むだけで内外二層の防水構造が得られる。
【図面の簡単な説明】
【図１】  （ａ）は、本発明の実施の形態に係るワイヤハーネス用グロメットの側面図である。
（ｂ）は、図１（ａ）の背面図である。
（ｃ）は、図（ａ）のＡ−Ａ線に沿った断面図である。
【図２】  （ａ）は、同実施の形態に係る図１（ａ）の要部断面図である。
（ｂ）は、図２（ａ）に示す装着部の拡大断面図である。
【図３】図２（ａ）に示す装着部の変形例を示す拡大断面図である。
【図４】  （ａ）は、従来技術に係るワイヤハーネス用グロメットの分解斜視図である。（ｂ）は、図４（ａ）の組付け状態を示す要部断面図である。
（ｃ）は、図４（ｂ）の貫通孔への装着状態を示す要部断面図である。
【符号の説明】
２１…ワイヤハーネス用グロメット
２２…グロメット本体
２３…装着部
２４…外側の防水リップ
２５…内側の防水リップ
２５ａ…先端
２６…プロテクタ
２７…係止爪
２８…取付パネル
２９…貫通孔
３０…フランジ部
３１…周縁のパネル
４０…抜き穴
４５…半環状片
【図１】
0003839107.tif 000002
【図２】
0003839107.tif 000003
【図３】
0003839107.tif 000004
【図４】
0003839107.tif 000005